【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【特許請求の範囲】
【請求項１】  中枢神経系ニューロンの軸索の伸出を調節する方法において使用する、本質的に有効量のプリンヌクレオシド又はそのアナログからなる医薬組成物であって、該方法が、中枢神経系ニューロンを、当該医薬組成物と、軸索の伸出が調節されるように接触させることを含む、当該医薬組成物。
【請求項２】  伸出を刺激する、請求項１に記載の医薬組成物。
【請求項３】  プリンヌクレオシドがイノシンである、請求項２に記載の医薬組成物。
【請求項４】  プリンヌクレオシドがグアノシンである、請求項２に記載の医薬組成物。
【請求項５】  伸出を阻害する、請求項１に記載の医薬組成物。
【請求項６】  プリンヌクレオシドが６−チオグアニンである、請求項５に記載の医薬組成物。
【請求項７】  前記の中枢神経系ニューロンが哺乳動物の当該ニューロンである、請求項１に記載の医薬組成物。
【請求項８】  傷害後に中枢神経系ニューロンの軸索伸出を刺激する方法において使用するプリンヌクレオシド又はそのアナログよりなる医薬組成物であって、該方法が該医薬組成物を患者に、軸索伸出が刺激されるように投与することを含む、上記の医薬組成物。
【請求項９】  傷害が卒中によるものである、請求項８に記載の医薬組成物。
【請求項１０】  傷害が外傷性脳障害(ＴＢＩ)によるものである、請求項８に記載の医薬組成物。
【請求項１１】  傷害が大脳動脈瘤によるものである、請求項８に記載の医薬組成物。
【請求項１２】  傷害が脊髄損傷によるものである、請求項８に記載の医薬組成物。
【請求項１３】  脊髄損傷を、単麻痺、両側麻痺、対麻痺、半側麻痺及び四肢麻痺よりなる群から選択する、請求項１２に記載の医薬組成物。
【請求項１４】  プリンヌクレオシドがイノシンである、請求項８に記載の医薬組成物。
【請求項１５】  プリンヌクレオシドがグアノシンである、請求項８に記載の医薬組成物。
【請求項１６】  中枢神経系ニューロンとの接触におけるイノシン濃度が約２５μＭである、請求項１４に記載の医薬組成物。
【請求項１７】  イノシンを５μＭ〜１０００μＭの濃度で投与する、請求項１４に記載の医薬組成物。
【請求項１８】  イノシンを１０μＭ〜５００μＭの濃度で投与する、請求項１４に記載の医薬組成物。
【請求項１９】  中枢神経系ニューロンとの接触におけるグアノシン濃度が約１００μＭである、請求項１５に記載の医薬組成物。
【請求項２０】  グアノシンを５μＭ〜１０００μＭの濃度で投与する、請求項１５に記載の医薬組成物。
【請求項２１】  グアノシンを１０μＭ〜５００μＭの濃度で投与する、請求項１５に記載の医薬組成物。
【請求項２２】  増大した中枢神経系ニューロンの軸索伸出により特徴付けられる病気を患っているか患う傾向にある患者の中枢神経系ニューロンの軸索伸出を阻害する方法において使用する医薬組成物であって、該方法が該患者にプリンヌクレオシド又はそのアナログよりなる該医薬組成物を、軸索伸出が阻害されるように投与することを含む、上記の医薬組成物。
【請求項２３】  前記の病気が癲癇である、請求項２２に記載の医薬組成物。
【請求項２４】  前記の癲癇が外傷後癲癇である、請求項２３に記載の医薬組成物。
【請求項２５】  前記の病気が神経障害性疼痛症候群である、請求項２２に記載の医薬組成物。
【請求項２６】  プリンヌクレオシド又はそのアナログが６−チオグアニンである、請求項２２に記載の医薬組成物。
【請求項２７】  中枢神経系ニューロンとの接触における６−チオグアニン濃度が約５０μＭである、請求項２６に記載の医薬組成物。
【請求項２８】  プリンヌクレオシド又はそのアナログを患者の中枢神経系への導入により投与する、請求項１、８又は２２に記載の医薬組成物。
【請求項２９】  プリンヌクレオシド又はそのアナログを患者の脳脊髄液中に導入する、請求項１、８又は２２に記載の医薬組成物。
【請求項３０】  プリンヌクレオシド又はそのアナログを髄膜下へ導入する、請求項１、８又は２２に記載の医薬組成物。
【請求項３１】  プリンヌクレオシド又はそのアナログを脳室中に導入する、請求項１、８又は２２に記載の医薬組成物。
【請求項３２】  プリンヌクレオシド又はそのアナログを腰椎部に導入する、請求項１、８又は２２に記載の医薬組成物。
【請求項３３】  プリンヌクレオシド又はそのアナログを大槽中に導入する、請求項１、８又は２２に記載の医薬組成物。
【請求項３４】  プリンヌクレオシド又はそのアナログを製薬上許容し得る配合物にて投与する、請求項１、８又は２２に記載の医薬組成物。
【請求項３５】  製薬上許容し得る配合物が分散系である、請求項３４に記載の医薬組成物。
【請求項３６】  製薬上許容し得る配合物が脂質ベースの配合物を含む、請求項３４に記載の医薬組成物。
【請求項３７】  製薬上許容し得る配合物がリポソーム配合物を含む、請求項３４に記載の医薬組成物。
【請求項３８】  製薬上許容し得る配合物が多小胞性リポソーム配合物を含む、請求項３４に記載の医薬組成物。
【請求項３９】  製薬上許容し得る配合物がポリマーマトリクスを含む、請求項３４に記載の医薬組成物。
【請求項４０】  製薬上許容し得る配合物が小型ポンプ内に含まれる、請求項３４に記載の医薬組成物。
【請求項４１】  製薬上許容し得る配合物が、その製薬上許容し得る配合物を患者に投与した後少なくとも１週間にわたるプリンヌクレオシド又はそのアナログの患者への持続的送達を与える、請求項３４に記載の医薬組成物。
【請求項４２】  製薬上許容し得る配合物が、その製薬上許容し得る配合物を患者に投与した後少なくとも１ヶ月にわたるプリンヌクレオシド又はそのアナログの患者への持続的送達を与える、請求項３４に記載の医薬組成物。
【請求項４３】  患者が哺乳動物である、請求項１、８又は２２に記載の医薬組成物。
【請求項４４】  哺乳動物がヒトである、請求項４３に記載の医薬組成物。
【請求項４５】  中枢神経系ニューロンが網膜神経節細胞である、請求項１、８又は２２に記載の医薬組成物。
【請求項４６】  患者における哺乳動物中枢神経系ニューロンの軸索伸出を調節するための、プリンヌクレオシド又はそのアナログよりなる医薬。
【請求項４７】  プリンヌクレオシドがイノシンである、請求項４６に記載の医薬。
【請求項４８】  プリンヌクレオシドがグアノシンである、請求項４６に記載の医薬。
【請求項４９】  プリンヌクレオシドが６−チオグアニンである、請求項４６に記載の医薬。
【請求項５０】  医薬がプリンヌクレオシド又はそのアナログ以外の如何なる神経成長モジュレーターをも含まない、請求項４６〜４９に記載の医薬。
【請求項５１】  医薬が、中枢神経系、脳脊髄液、髄膜下、脳室、腰椎部及び大槽よりなる群から選択する患者中の部位への投与に適している、請求項４６〜４９に記載の医薬。
【請求項５２】  イノシンが約２５μＭの濃度で存在する、請求項４７に記載の医薬。
【請求項５３】  グアノシンが約１００μＭの濃度で存在する、請求項４８に記載の医薬。
【請求項５４】  ６−チオグアニンが約５０μＭの濃度で存在する、請求項４９に記載の医薬。
【請求項５５】  医薬が患者におけるプリンヌクレオシド又はそのアナログの持続的送達を与える、請求項４６〜４９に記載の医薬。
【請求項５６】  医薬が軸索伸出を刺激する、請求項４６に記載の医薬。
【請求項５７】  医薬が、卒中による傷害、外傷性脳障害(ＴＢＩ)による傷害、大脳動脈瘤による傷害及び脊髄損傷よりなる群から選択する傷害の治療に適している、請求項５６に記載の医薬。
【請求項５８】  医薬が軸索伸出を阻害する、請求項４６に記載の医薬。
【請求項５９】  医薬が、癲癇、外傷後癲癇及び神経障害性疼痛症候群よりなる群から選択する病気の治療に適している、請求項５８に記載の医薬。
【請求項６０】  イノシンと製薬上許容し得るキャリアーを含む製薬組成物をパッケージ化されたこの製薬組成物の使用についての指示と共に含む、中枢神経系疾患の治療のためのパッケージ化された配合物。
【請求項６１】  グアノシンと製薬上許容し得るキャリアーを含む製薬組成物をパッケージ化されたこの製薬組成物の使用についての指示と共に含む、中枢神経系疾患の治療のためのパッケージ化された配合物。
【請求項６２】  ６−チオグアニンと製薬上許容し得るキャリアーを含む製薬組成物をパッケージ化されたこの製薬組成物の使用についての指示と共に含む、中枢神経系疾患の治療のためのパッケージ化された配合物。